(57)【要約】【課題】  ユーザが使用する機器のスペックに応じて各種情報の提供を受けることが可能な広域監視システムを実現する。【解決手段】  監視区域内の画像や各種データを収集して集中管理することにより監視区域内の監視を行う広域監視システムにおいて、ネットワークに相互に接続されたクライアントと、記ネットワークに相互に接続されると共に監視区域に関する情報を収集若しくは撮影して提供する手段と、ネットワークに相互に接続されると共にクライアントからサービス利用の依頼を受信した場合に、予め登録されているサービスを提供する手段に対してサービスの提供を要求し、手段から取得した情報をクライアント環境情報に基づき適宜加工してクライアントに送信するサービス提供手段とを設ける。【選択図】                    図１
2005322980.tif 000002
【特許請求の範囲】
【請求項１】
監視区域内の画像や各種データを収集して集中管理することにより監視区域内の監視を行う広域監視システムにおいて、
ネットワークに相互に接続されたクライアントと、
前記ネットワークに相互に接続されると共に前記監視区域に関する情報を収集若しくは撮影して提供する手段と、
前記ネットワークに相互に接続されると共に前記クライアントからサービス利用の依頼を受信した場合に、予め登録されているサービスを提供する前記手段に対してサービスの提供を要求し、前記手段から取得した情報をクライアント環境情報に基づき適宜加工して前記クライアントに送信するサービス提供手段と
を備えたことを特徴とする広域監視システム。
【請求項２】
前記サービス提供手段が、
前記ネットワークを介して通信を行う通信手段と、
予め登録されているサービスに関する情報や前記クライアント環境情報が格納されている記憶手段と、
前記クライアントからサービス利用の依頼を受信した場合に、予め登録されているサービスを提供する前記手段に対してサービスの提供を要求し、前記手段から取得した情報をクライアント環境情報に基づき適宜加工して前記クライアントに送信する演算制御手段とから構成されたことを特徴とする
請求項１記載の広域監視システム。
【請求項３】
前記演算制御手段が、
前記通信手段を介して前記ネットワーク経由で前記クライアントから前記クライアント環境情報を受信したと判断した場合に一意のユーザＩＤを生成し、当該生成したユーザＩＤと共に前記クライアント環境情報を前記記憶手段に格納して登録することを特徴とする
請求項２記載の広域監視システム。
【請求項４】
前記演算制御手段が、
前記通信手段を介して前記ネットワーク経由で前記クライアントからサービスの検索依頼を受信したと判断した場合に、前記ネットワークを介してブロードキャストで利用可能なサービスを検索を依頼し、各種手段で公開されているサービスの内容を取得し、取得した利用可能なサービス内容を前記ネットワーク経由で前記クライアントに対して送信することを特徴とする
請求項２記載の広域監視システム。
【請求項５】
前記手段が、
ブロードキャストでサービスの検索を依頼されたと判断した場合に、自らが公開しているサービスの内容を前記サービス提供手段に返送することを特徴とする
請求項４記載の広域監視システム。
【請求項６】
前記演算制御手段が、
前記通信手段を介して前記ネットワーク経由で前記クライアントからサービスの登録依頼を受信したと判断した場合に、指定されたサービスを前記クライアントに対応するユーザＩＤのリストに登録し、当該指定されたサービスを提供する前記手段に対して登録された旨の通知を送信し、当該指定されたサービスを提供する各種手段へのアクセス方法を取得すると共に登録し、サービス登録完了通知を前記ネットワーク経由で前記クライアントに対して送信することを特徴とする
請求項２記載の広域監視システム。
【請求項７】
前記手段が、
登録された旨の前記通知を受信したと判断した場合に、自らが公開しているサービスへのアクセス方法を前記サービス提供手段に返送することを特徴とする
請求項６記載の広域監視システム。
【請求項８】
前記演算制御手段が、
前記通信手段を介して前記ネットワーク経由で前記クライアントからサービスの利用依頼を受信したと判断した場合に、前記クライアントに対応するユーザＩＤのリストから登録されているサービスを読み出し、当該サービスへのアクセス方法も併せて読み出し、登録されているサービスを提供する前記手段に対してサービスの提供を依頼すると共に登録されているサービスを提供する前記手段からサービスの提供を受け、予め登録されているユーザＩＤに対応する前記クライアント環境情報を読み出し、読み出した前記クライアント環境情報に基づき情報の加工が不要であると判断された場合には、登録されているサービスを提供する手段から取得した前記情報をそのまま前記クライアントに送信し、或いは、情報の加工が必要であると判断された場合には、加工処理手段に情報及びクライアント環境情報を送付して情報の加工を依頼し、加工された情報を取得した時点で、加工された情報を前記クライアントに送信することを特徴とする
請求項２記載の広域監視システム。
【請求項９】
前記手段が、
公開しているサービスの提供依頼あったと判断した場合には、自らが公開しているサービスに関連する情報を前記サービス提供手段に返送することを特徴とする
請求項８記載の広域監視システム。
【請求項１０】
前記加工処理手段が、
前記サービス提供手段から加工処理の依頼があったと判断した場合には、送付されてきたクライアント環境情報に基づき前記情報を加工し、加工した情報を前記サービス提供手段に返送することを特徴とする
請求項８記載の広域監視システム。
【請求項１１】
前記演算制御手段が、
前記手段から定期的に前記情報を取得すると共に定期的に取得した前記情報の統計処理を統計処理手段で行わせた上で前記クライアントに送信させることを特徴とする
請求項２記載の広域監視システム。
【請求項１２】
前記演算制御手段が、
前記手段から取得した情報が予め設定されている前記情報に対する閾値を超過している場合には、前記クライアントに対してアラームを送信することを特徴とする
請求項２記載の広域監視システム。
【発明の詳細な説明】
【技術分野】
【０００１】
本発明は、監視区域内の画像や各種データを収集して集中管理することにより監視区域内の監視を行う広域監視システムに関し、特にユーザが使用する機器のスペック（性能）に応じて各種情報の提供を受けることが可能な広域監視システムに関する。
【背景技術】
【０００２】
従来の監視区域内の画像や各種データを収集して集中管理することにより監視区域内の監視を行う広域監視システム等に関連する先行技術文献としては次のようなものがある。
【０００３】
【特許文献１】特開２０００−０２２６８７号公報
【特許文献２】特開２０００−２０７３３３号公報
【特許文献３】特開２０００−２０７３３４号公報
【特許文献４】特開２００２−２７１３８３号公報
【特許文献５】特開２００３−２２３６８９号公報
【特許文献６】特開２００４−０３８２２８号公報
【０００４】
図１５はこのような従来の監視区域内の画像や各種データを収集して集中管理することにより監視区域内の監視を行う広域監視システムの一例を示す構成ブロック図である。
【０００５】
図１５において１は汎用のＷｅｂブラウザを用いて画像や各種データを収集するクライアント、２は専用のクライアントソフトウェアを用いて画像や各種データを収集するクライアント、３及び４は監視区域内に設置され画像を撮影してインターネット等の汎用のネットワークを経由して画像を送信するＷｅｂカメラ、５，６，７及び８は監視区域内に設置され雨量、風速、流量、水位、温度、或いは、湿度等の広域監視に必要なデータを収集してインターネット等の汎用のネットワークを経由してデータ等を送信するデータ収集装置である。但し、インターネット等の汎用のネットワークに関しては図１５では特に図示していない。
【０００６】
Ｗｅｂカメラ３及び４は図１５中”ＷＲ０１”に示す監視区域内に設置され、データ収集装置５，６，７及び８もまた図１５中”ＷＲ０１”に示す監視区域内に設置される。また、クライアント１及び２、Ｗｅｂカメラ３及び４、データ収集装置５，６，７及び８はそれぞれ図示しないネットワークによって相互に接続される。
【０００７】
ここで、図１５に示す従来例の動作を説明する。先ず第１に、各クライアント１及び２は図１５中”ＷＲ０１”に示す監視区域内に設置されたＷｅｂカメラやデータ収集装置の中で情報を取得したい、言い換えれば、利用したいＷｅｂカメラやデータ収集装置を予め手動で登録しておく。
【０００８】
そして、各クライアント１及び２にインストールされているＷｅｂブラウザや専用クライアントソフトウェアはそれぞれ予め登録されているＷｅｂカメラやデータ収集装置にネットワーク（図示せず。）経由でアクセスして、画像や収集された雨量、風速、流量、水位、温度、或いは、湿度等のデータを取得し、必要に応じて画像表示やデータ解析を行うことにより図１５中”ＷＲ０１”に示す監視区域内の監視を行う。
【発明の開示】
【発明が解決しようとする課題】
【０００９】
しかし、図１５に示す従来例では、ユーザが使用しているクライアントの処理速度、描画能力、記憶容量、或いは、ネットワークの通信速度等のスペック（以下、クライアント環境情報と呼ぶ。）を把握することなしにＷｅｂカメラやデータ収集装置が提供可能な情報をネットワーク経由で送信していたため、ネットワークの負荷を増大させると共に広域監視システム全体の動作に影響を与えてしまうと言った問題点があった。
【００１０】
また、クライアントの描画能力を超過する情報を受信した場合には、当該クライアントの環境情報に適合するように受信した情報を加工し直さなければならないと言った問題点があった。具体的には、クライアントがモノクロ表示であるにもかかわらずカラー表示用の画像を受信した場合には、クライアント側でカラー表示用の画像をモノクロ表示用の画像に変換し直さなければならなかった。
【００１１】
また、新たにデータ収集装置等を監視区域内に追加、或いは、削除等しようとした場合、広域監視システム全体を停止させた上でシステム全体の構成情報を更新等しなければならないと言った問題点があった。
【００１２】
さらに、予め登録されている利用したいＷｅｂカメラやデータ収集装置に関する情報はハードウェアであるクライアント内の記憶手段に蓄積されているため、機器のリプレース等に起因して、クライアントとして用いる端末を物理的に異なる端末に変更した場合には、同一ユーザであっても利用したいＷｅｂカメラやデータ収集装置等の登録を再度やり直す必要性があると言った問題点があった。
従って本発明が解決しようとする課題は、ユーザが使用する機器のスペックに応じて各種情報の提供を受けることが可能な広域監視システムを実現することにある。
【課題を解決するための手段】
【００１３】
このような課題を達成するために、本発明のうち請求項１記載の発明は、
監視区域内の画像や各種データを収集して集中管理することにより監視区域内の監視を行う広域監視システムにおいて、
ネットワークに相互に接続されたクライアントと、前記ネットワークに相互に接続されると共に前記監視区域に関する情報を収集若しくは撮影して提供する手段と、前記ネットワークに相互に接続されると共に前記クライアントからサービス利用の依頼を受信した場合に、予め登録されているサービスを提供する前記手段に対してサービスの提供を要求し、前記手段から取得した情報をクライアント環境情報に基づき適宜加工して前記クライアントに送信するサービス提供手段とを備えたことにより、ユーザが使用する機器のスペックに応じて各種情報の提供を受けることが可能になる。
【００１４】
請求項２記載の発明は、
請求項１記載の発明である広域監視システムにおいて、
前記サービス提供手段が、
前記ネットワークを介して通信を行う通信手段と、予め登録されているサービスに関する情報や前記クライアント環境情報が格納されている記憶手段と、前記クライアントからサービス利用の依頼を受信した場合に、予め登録されているサービスを提供する前記手段に対してサービスの提供を要求し、前記手段から取得した情報をクライアント環境情報に基づき適宜加工して前記クライアントに送信する演算制御手段とから構成されたことにより、ユーザが使用する機器のスペックに応じて各種情報の提供を受けることが可能になる。
【００１５】
請求項３記載の発明は、
請求項２記載の発明である広域監視システムにおいて、
前記演算制御手段が、
前記通信手段を介して前記ネットワーク経由で前記クライアントから前記クライアント環境情報を受信したと判断した場合に一意のユーザＩＤを生成し、当該生成したユーザＩＤと共に前記クライアント環境情報を前記記憶手段に格納して登録することにより、ユーザが使用する機器のスペックに応じて各種情報の提供を受けることが可能になる。
【００１６】
請求項４記載の発明は、
請求項２記載の発明である広域監視システムにおいて、
前記演算制御手段が、
前記通信手段を介して前記ネットワーク経由で前記クライアントからサービスの検索依頼を受信したと判断した場合に、前記ネットワークを介してブロードキャストで利用可能なサービスを検索を依頼し、各種手段で公開されているサービスの内容を取得し、取得した利用可能なサービス内容を前記ネットワーク経由で前記クライアントに対して送信することにより、ユーザが使用する機器のスペックに応じて各種情報の提供を受けることが可能になる。
【００１７】
請求項５記載の発明は、
請求項４記載の発明である広域監視システムにおいて、
前記手段が、
ブロードキャストでサービスの検索を依頼されたと判断した場合に、自らが公開しているサービスの内容を前記サービス提供手段に返送することにより、ユーザが使用する機器のスペックに応じて各種情報の提供を受けることが可能になる。
【００１８】
請求項６記載の発明は、
請求項２記載の発明である広域監視システムにおいて、
前記演算制御手段が、
前記通信手段を介して前記ネットワーク経由で前記クライアントからサービスの登録依頼を受信したと判断した場合に、指定されたサービスを前記クライアントに対応するユーザＩＤのリストに登録し、当該指定されたサービスを提供する前記手段に対して登録された旨の通知を送信し、当該指定されたサービスを提供する各種手段へのアクセス方法を取得すると共に登録し、サービス登録完了通知を前記ネットワーク経由で前記クライアントに対して送信することにより、ユーザが使用する機器のスペックに応じて各種情報の提供を受けることが可能になる。
【００１９】
請求項７記載の発明は、
請求項６記載の発明である広域監視システムにおいて、
前記手段が、
登録された旨の前記通知を受信したと判断した場合に、自らが公開しているサービスへのアクセス方法を前記サービス提供手段に返送することにより、ユーザが使用する機器のスペックに応じて各種情報の提供を受けることが可能になる。
【００２０】
請求項８記載の発明は、
請求項２記載の発明である広域監視システムにおいて、
前記演算制御手段が、
前記通信手段を介して前記ネットワーク経由で前記クライアントからサービスの利用依頼を受信したと判断した場合に、前記クライアントに対応するユーザＩＤのリストから登録されているサービスを読み出し、当該サービスへのアクセス方法も併せて読み出し、登録されているサービスを提供する前記手段に対してサービスの提供を依頼すると共に登録されているサービスを提供する前記手段からサービスの提供を受け、予め登録されているユーザＩＤに対応する前記クライアント環境情報を読み出し、読み出した前記クライアント環境情報に基づき情報の加工が不要であると判断された場合には、登録されているサービスを提供する手段から取得した前記情報をそのまま前記クライアントに送信し、或いは、情報の加工が必要であると判断された場合には、加工処理手段に情報及びクライアント環境情報を送付して情報の加工を依頼し、加工された情報を取得した時点で、加工された情報を前記クライアントに送信することにより、ユーザが使用する機器のスペックに応じて各種情報の提供を受けることが可能になる。
【００２１】
請求項９記載の発明は、
請求項８記載の発明である広域監視システムにおいて、
前記手段が、
公開しているサービスの提供依頼あったと判断した場合には、自らが公開しているサービスに関連する情報を前記サービス提供手段に返送するにより、ユーザが使用する機器のスペックに応じて各種情報の提供を受けることが可能になる。
【００２２】
請求項１０記載の発明は、
請求項８記載の発明である広域監視システムにおいて、
前記加工処理手段が、
前記サービス提供手段から加工処理の依頼があったと判断した場合には、送付されてきたクライアント環境情報に基づき前記情報を加工し、加工した情報を前記サービス提供手段に返送することにより、ユーザが使用する機器のスペックに応じて各種情報の提供を受けることが可能になる。
【００２３】
請求項１１記載の発明は、
請求項２記載の発明である広域監視システムにおいて、
前記演算制御手段が、
前記手段から定期的に前記情報を取得すると共に定期的に取得した前記情報の統計処理を統計処理手段で行わせた上で前記クライアントに送信させることにより、クライアント側の機器のスペックに関わりなく同等の情報提供を受けることが可能になる。
【００２４】
請求項１２記載の発明は、
請求項２記載の発明である広域監視システムにおいて、
前記演算制御手段が、
前記手段から取得した情報が予め設定されている前記情報に対する閾値を超過している場合には、前記クライアントに対してアラームを送信することにより、取得した収集データを人為的に、若しくは、機械的に解析することなく、直感的に異常の発生を把握することができる。
【発明の効果】
【００２５】
本発明によれば次のような効果がある。
請求項１，２，３，４，５，６，７，８，９及び請求項１０の発明によれば、クライアントからサービス利用の依頼を受信した場合に、予め登録されているサービスを提供する各種手段に対してサービスの提供を要求し、各種手段から取得した情報をクライアント環境情報に基づき適宜加工してクライアントに送信することにより、サービスを利用することが可能になる。すなわち、ユーザが使用する機器のスペックに応じて各種情報の提供を受けることが可能になる。
【００２６】
また、クライアント環境情報に基づき適宜加工した情報をネットワーク上に伝播させるので、ネットワークの負荷の増大を抑制することが可能になる。
【００２７】
また、新たにデータ収集装置等を監視区域内に追加、或いは、削除等しようとした場合であっても、利用するサービスを検索する段階において、サービス提供手段が、監視区域内に配置されたデータ収集手段や加工処理手段等の各種手段に対してブロードキャストし、各種手段において公開しているサービスの内容をサービス提供手段まで通知させることにより、各種手段の追加、或いは、削除等を把握することができるので、広域監視システム全体を停止させて上でシステム全体の構成情報を更新等する必要性がなくなる。
【００２８】
さらに、予め登録されている利用したいサービスに関する情報はサービス提供手段内の記憶手段に蓄積されているので、機器のリプレース等に起因して、クライアントとして用いる端末を物理的に異なる端末に変更した場合であっても、予め登録されている利用したいサービスと同じものを利用することができる。
【００２９】
また、請求項１１の発明によれば、サービス提供手段が、クライアントの代わりにデータ収集手段から定期的に収集データを取得すると共に定期的に取得した収集データ等の統計処理を統計処理手段で行わせた上でクライアントに送信させることにより、クライアント９側の機器のスペックに関わりなく同等の情報提供を受けることが可能になる。
【００３０】
また、請求項１２の発明によれば、サービス提供手段に収集データに対する閾値等を設定しておき、データ収集手段から取得した収集データが当該閾値を超過している場合には、クライアント９に対してアラームを送信することにより、取得した収集データを人為的に、若しくは、機械的に解析することなく、直感的に異常の発生を把握することができる。
【発明を実施するための最良の形態】
【００３１】
以下本発明を図面を用いて詳細に説明する。図１は本発明に係る監視区域内の画像や各種データを収集して集中管理することにより監視区域内の監視を行う広域監視システムの一実施例を示す構成ブロック図である。
【００３２】
図１において９及び１０は汎用のＷｅｂブラウザ、或いは、専用のクライアントソフトウェアを用いて画像や各種データを収集するクライアント、１１及び１２は監視区域内に設けられユーザＩＤに対応したサービスを提供するサービス提供手段、１３，１４，１５，１６，１７及び１８は監視区域内に設置され雨量、風速、流量、水位、温度、或いは、湿度等の広域監視に必要なデータを収集してサービス提供手段を介して提供するデータ収集手段、１９はデータの平均値を求める等の統計処理を行ってサービス提供手段に返送する統計処理手段、２０は監視区域内に設置され画像を撮影してサービス提供手段に返送するＷｅｂカメラ等の画像撮影手段、２１は画像情報のフォーマットやサイズを変換やその他データの加工を行ってサービス提供手段に返送する加工処理手段である。
【００３３】
サービス提供手段１１及び１２、データ収集手段１３，１４，１５，１６，１７及び１８、統計処理手段１９、画像撮影手段２０、並びに、加工処理手段２１はそれぞれ図１中”ＷＲ１１”に示す監視区域内に設置される。
【００３４】
サービス提供手段１１及び１２、データ収集手段１３，１４，１５，１６，１７及び１８、統計処理手段１９、画像撮影手段２０、並びに、加工処理手段２１はそれぞれ図示しないネットワークによって相互に接続される。
【００３５】
ここで、図１に示す実施例の動作を図２、図３、図４、図５、図６、図７、図８、図９、図１０、図１１、図１２、図１３及び図１４を用いて説明する。図２はサービス提供手段の具体例を示す構成ブロック図、図３、図５、図８及び図１１はクライアントの動作を説明するフロー図、図４、図６、図９及び図１２はサービス提供手段の動作を説明するフロー図、図７、図１０及び図１３はデータ収集手段の動作を説明するフロー図、図１４は加工処理手段の動作を説明するフロー図である。
【００３６】
図２において９，１２，１６，１７及び２１は図１と同一符号を付してあり、２２はネットワークを介して通信を行う通信インターフェース等の通信手段、２３はＣＰＵ（Central Processing Unit）等の演算制御手段、２４はハードディスクやＲＡＭ（Random Access Memory）等の読み出し及び書き込みが可能な記憶手段、１００はインターネット等の汎用のネットワークである。また、２２，２３及び２４はサービス提供手段１２を構成している。
【００３７】
クライアント９、データ収集手段１６及び１７、加工処理手段２１はネットワーク１００に相互に接続され、サービス提供手段１２の通信手段２２もまたネットワーク１００に相互に接続される。また、通信手段２２の入出力は演算制御手段２３に相互に接続され、記憶手段２４の入出力もまた演算制御手段２３に相互に接続される。
【００３８】
また、以下の各手段の詳細な説明に関しては説明の簡単のために図２に記載された符号と同一符号名を用いて説明する。
【００３９】
先ず、第１に、クライアント環境情報を登録する段階について説明する。図３中”Ｓ００１”においてクライアント９は、サービス提供手段１２に対して自らのクライアント環境情報を登録するか否かを判断し、もし、クライアント環境情報の登録をすると判断した場合には、図３中”Ｓ００２”においてクライント９は、自らのクライアント環境情報をネットワーク１００経由でサービス提供手段１２に送信する。
【００４０】
一方、図４中”Ｓ１０１”においてサービス提供手段１２、具体的には、演算制御手段２３は、通信手段２２を介してネットワーク１００経由でクライアント９からクライアント環境情報を受信したか否かを判断する。
【００４１】
もし、通信手段２２を介してクライアント環境情報を受信したと判断した場合、図４中”Ｓ１０２”において演算制御手段２３は、一意のユーザＩＤを生成し、図４中”Ｓ１０３”において当該生成したユーザＩＤと共にクライアント環境情報を記憶手段２４に格納して登録する。
【００４２】
この結果、クライアント９から受信したクライアント環境情報と生成したユーザＩＤを記憶手段２４に格納して登録することにより、クライアント環境情報を登録する段階は完了する。
【００４３】
第２に、利用するサービスを検索する段階について説明する。図５中”Ｓ２０１”においてクラインアント９は、利用するサービスの検索をするか否かを判断し、もし、利用するサービスの検索をすると判断した場合には、図５中”Ｓ２０２”においてクラインアント９は、サービス提供手段１２にサービスの検索を依頼する。
【００４４】
そして、図５中”Ｓ２０３”においてクライアント９は、サービス提供手段１２から検索結果である利用可能なサービスの内容を受信するまで待機する。
【００４５】
例えば、クライアント９は、図２中にあるデータ収集手段１６及び１７と加工処理手段２１で提供される各サービスが利用可能である旨の通知を受信する。
【００４６】
一方、図６中”Ｓ３０１”においてサービス提供手段１２、具体的には、演算制御手段２３は、通信手段２２を介してネットワーク１００経由でクライアント９からサービスの検索依頼を受信したか否かを判断する。
【００４７】
もし、通信手段２２を介してサービスの検索依頼を受信したと判断した場合、図６中”Ｓ３０２”において演算制御手段２３は、ネットワーク１００を介して利用可能なサービスを検索を依頼する。
【００４８】
具体的には、図１中”ＷＲ１１”に示す監視区域内に配置されたデータ収集手段や加工処理手段等の各種手段に対してブロードキャストし、各種手段において公開しているサービスの内容をサービス提供手段１２まで通知させる。
【００４９】
すなわち、図７中”Ｓ４０１”において各種手段は、ブロードキャストでサービスの検索を依頼されたか否かを判断し、もし、サービス検索を依頼されたと判断した場合には、図７中”Ｓ４０２”において各種手段は、自らが公開しているサービスの内容をサービス提供手段１２に返送する。
【００５０】
そして、図６中”Ｓ３０３”において演算制御手段２３は、このようにネットワーク１００経由で検索結果である各種手段で公開されているサービスの内容を取得し、図６中”Ｓ３０４”において演算制御手段２３は、取得した利用可能なサービス内容をネットワーク１００経由でクライアント９に対して送信する。
【００５１】
具体的には、演算制御手段２３には、図２中にあるデータ収集手段１６及び１７と加工処理手段２１からそれぞれ公開されているサービスの内容が返送され、この内容をさらにクライアント９に送信する。
【００５２】
この結果、クライアント９からサービス検索の依頼を受信した場合に、監視区域内に配置されたデータ収集手段や加工処理手段等の各種手段に対してブロードキャストし、各種手段において公開しているサービスの内容をサービス提供手段１２まで通知させると共に公開しているサービスの内容をクライアント９に送信することにより、利用するサービスを検索する段階は完了する。
【００５３】
第３に、利用するサービスを登録する段階について説明する。図８中”Ｓ５０１”においてクラインアント９は、利用するサービスの登録をするか否かを判断し、もし、利用するサービスの登録をすると判断した場合には、図８中”Ｓ５０２”においてクラインアント９は、サービス提供手段１２に利用するサービスを指定してサービスの登録を依頼する。
【００５４】
具体的には、クライアント９は、データ収集手段１６が提供するサービスをそれぞれ指定して、サービスの登録を依頼する。
【００５５】
そして、図８中”Ｓ５０３”においてクライアント９は、サービス提供手段１２からサービス登録完了通知を受信するまで待機する。
【００５６】
一方、図９中”Ｓ６０１”においてサービス提供手段１２、具体的には、演算制御手段２３は、通信手段２２を介してネットワーク１００経由でクライアント９からサービスの登録依頼を受信したか否かを判断する。
【００５７】
もし、通信手段２２を介してサービスの登録依頼を受信したと判断した場合、図９中”Ｓ６０２”において演算制御手段２３は、指定されたサービスをクライアント９に対応するユーザＩＤのリストに登録する。
【００５８】
また、図９中”Ｓ６０３”において演算制御手段２３は、通信手段２２を制御してネットワーク１００を介して当該指定されたサービスを提供する手段に対して登録された旨の通知を送信すると共に図９中”Ｓ６０４”において当該指定されたサービスを提供する各種手段へのアクセス方法等を取得すると共に登録する。
【００５９】
具体的には、図１中”ＷＲ１１”に示す監視区域内に配置されたデータ収集手段や加工処理手段等の各種手段の内、クライアント９によって指定されたービスを提供する各種手段に登録された旨の通知を送信し、各種手段において公開しているサービスへのアクセス方法等をサービス提供手段１２まで通知させる。
【００６０】
さらに、具体的には、演算制御手段２３は、データ収集手段１６に対してネットワーク１００経由で登録された旨の通知を送信すると共にデータ収集手段１６へのアクセス方法等を取得する。
【００６１】
すなわち、図１０中”Ｓ７０１”において各種手段は、登録された旨の通知を受信したか否かを判断し、もし、登録された旨の通知を受信したと判断した場合には、図１０中”Ｓ７０２”において各種手段は、自らが公開しているサービスへのアクセス方法等をサービス提供手段１２に返送する。
【００６２】
そして、図９中”Ｓ６０５”において演算制御手段２３は、サービス登録完了通知をネットワーク１００経由でクライアント９に対して送信する。
【００６３】
この結果、クライアント９からサービス登録の依頼を受信した場合に、監視区域内に配置された指定されたサービスを提供するデータ収集手段や加工処理手段等の各種手段に対して登録された旨の通知を送信し、各種手段において公開しているサービスへのアクセス方法等をサービス提供手段１２まで通知させると共にサービス登録完了通知をクライアント９に送信することにより、利用するサービスを登録する段階は完了する。
【００６４】
第４に、サービスを利用（データ収集手段からのデータの提供をうける）する段階について説明する。図１１中”Ｓ８０１”においてクラインアント９は、登録されているサービスを
利用するか否かを判断する。
【００６５】
具体的には、クライアント９は、予め登録されているデータ収集手段１６が提供しているサービスを利用するか否かを判断する。
【００６６】
図１１中”Ｓ８０１”においてサービスを利用すると判断した場合には、図１１中”Ｓ８０２”においてクライアント９は、サービス提供手段１２に対してサービスの利用要求を送信する。
【００６７】
そして、図１１中”Ｓ８０３”においてクライアント９は、サービス提供手段１２からデータの提供を受けるまで待機する。
【００６８】
一方、図１２中”Ｓ９０１”においてサービス提供手段１２、具体的には、演算制御手段２３は、通信手段２２を介してネットワーク１００経由でクライアント９からサービスの利用依頼を受信したか否かを判断する。
【００６９】
もし、通信手段２２を介してサービスの利用依頼を受信したと判断した場合、図１２中”Ｓ９０２”において演算制御手段２３は、クライアント９に対応するユーザＩＤのリストから登録されているサービスを読み出し、図１２中”Ｓ９０３”において当該サービスへのアクセス方法等も併せて読み出す。
【００７０】
具体的には、演算制御手段２３は、ライアント９に対応するユーザＩＤのリストから登録されているサービス及びアクセス方法等を読み出すことにより、クライアント９が利用したいサービスはデータ収集手段１６が収集したデータの提供であることを認識する。
【００７１】
そして、図１２中”Ｓ９０４”において演算制御手段２３は、登録されているサービスを提供する手段に対してサービスの提供を依頼すると共に図１２中”Ｓ９０５”において登録されているサービスを提供する手段からサービスの提供を受ける。
【００７２】
具体的には、演算制御手段２３は、予め登録されているデータ収集手段１６に対して収集されたデータの提供を依頼し、データ収集手段１６が収集データを受け取る。
【００７３】
すなわち、図１３中”Ｓ１００１”において各種手段であるデータ収集手段１６は、公開しているサービスの提供依頼あったか否かを判断し、もし、サービスの提供依頼があったと判断した場合には、図１３中”Ｓ１００２”において自らが公開しているサービスをサービス提供手段１２に提供する。
【００７４】
具体的には、データ収集手段１６は、自らがデータ収集したデータ（情報）をネットワーク１００経由でサービス提供手段１２に送信する。
【００７５】
さらに、図１２中”Ｓ９０６”において演算制御手段２３は、予め登録されているユーザＩＤに対応するクライアント環境情報を読み出し、図１２中”Ｓ９０７”において演算制御手段２３は、読み出したクライアント環境情報に基づき取得したサービスをそのままクライアント９に転送しても良いか、言い換えれば、情報の加工が必要であるか否かを判断する。
【００７６】
具体的には、データ収集手段１６が取得した収集データをそのままクライアント９に送信してもクライアント９側で利用可能であるか、言い換えれば、取得した収集データ（情報）を加工することなしにクライアント９に送信しても良いか否かを判断する。
【００７７】
もし、図１２中”Ｓ９０７”において情報の加工が不要であると判断された場合には、図１２中”Ｓ９０８”において演算制御手段２３は、登録されているサービスを提供する手段から取得した情報（収集データ）をそのまま（未加工）クライアント９に送信する。
【００７８】
一方、もし、図１２中”Ｓ９０７”において情報の加工が必要であると判断された場合には、図１２中”Ｓ９０９”において演算制御手段２３は、通信手段２２を制御してネットワーク１００経由で加工処理手段２１に情報（収集データ）及びクライアント環境情報を送付して情報（収集データ）の加工を依頼する。
【００７９】
そして、図１２中”Ｓ９１０”において演算制御手段２３は、加工処理手段２１からクライアント環境情報に基づき加工された情報（収集データ）を取得するまで待機し、加工された情報（収集データ）を取得した時点で、図１２中”Ｓ９０８”において演算制御手段２３は、加工処理手段２１から取得した加工された情報（収集データ）をクライアント９に送信する。
【００８０】
すなわち、図１４中”Ｓ１１０１”において各種手段である加工処理手段２１は、サービス提供手段１２から加工処理の依頼があったか否かを判断し、もし、加工処理の依頼があったと判断した場合には図１４中”Ｓ１１０２”において加工処理手段２１は、送付されてきたクライアント環境情報に基づき情報（収集データ）を加工し、図１４中”Ｓ１１０３”において加工した情報（収集データ）をサービス提供手段１２に返送する。
【００８１】
この結果、クライアント９からサービス利用の依頼を受信した場合に、予め登録されているサービスを提供する各種手段に対してサービスの提供を要求し、各種手段から取得した情報をクライアント環境情報に基づき適宜加工してクライアント９に送信することにより、サービスを利用することが可能になる。すなわち、ユーザが使用する機器のスペックに応じて各種情報の提供を受けることが可能になる。
【００８２】
また、クライアント環境情報に基づき適宜加工した情報をネットワーク上に伝播させるので、ネットワークの負荷の増大を抑制することが可能になる。
【００８３】
また、新たにデータ収集装置等を監視区域内に追加、或いは、削除等しようとした場合であっても、利用するサービスを検索する段階において、サービス提供手段が、監視区域内に配置されたデータ収集手段や加工処理手段等の各種手段に対してブロードキャストし、各種手段において公開しているサービスの内容をサービス提供手段まで通知させることにより、各種手段の追加、或いは、削除等を把握することができるので、広域監視システム全体を停止させて上でシステム全体の構成情報を更新等する必要性がなくなる。
【００８４】
さらに、予め登録されている利用したいサービスに関する情報はサービス提供手段内の記憶手段に蓄積されているので、機器のリプレース等に起因して、クライアントとして用いる端末を物理的に異なる端末に変更した場合であっても、同一のユーザＩＤを用いることにより、予め登録されている利用したいサービスと同じものを利用することができる。
【００８５】
なお、図１に示す実施例の説明に際しては、提供を受けるサービスとして収集データの提供を例示しているが、勿論、これに限定されるものではない。例えば画像撮影手段２０が撮影した画像情報の提供をサービスとして登録して利用しても構わない。
【００８６】
この場合には、例えば、画像撮影手段２０が提供する画像情報がカラー画像であり、クライアント９がカラー画像の表示が可能なクライアント環境情報を有していれば、サービス提供手段１２は取得した画像情報を未加工でクライアント９に送信し、もし、クライアント９がモノクロ画像の表示しかできないクライアント環境情報を有していれば、サービス提供手段１２は取得した画像情報を加工処理手段２１でモノクロ画像に加工させた上で出クライアント９に送信する。
【００８７】
これにより、ユーザが使用する機器のスペックに応じて各種情報の提供を受けることが可能になる。
【００８８】
また、サービス提供手段が、クライアント９の代わりにデータ収集手段から定期的に収集データを取得すると共に定期的に取得した収集データ等の平均値を求める等の統計処理を統計処理手段で行わせた上でクライアント９に送信させることにより、クライアント９側の機器のスペックに関わりなく同等の情報提供を受けることが可能になる。
【００８９】
また、図１に示す実施例の説明に際しては、サービス提供手段が、データ収集手段が提供する収集データを未加工、或いは、適宜加工してクライアント９に送信している旨説明しているが、サービス提供手段に収集データに対する閾値等を設定しておき、データ収集手段から取得した収集データが当該閾値を超過している場合には、クライアント９に対してアラームを送信しても構わない。
【００９０】
この場合には、クライアント９側では取得した収集データを人為的に、若しくは、機械的に解析することなく、直感的に異常の発生を把握することができるので、監視システムには好適である。
【００９１】
また、このような広域監視システムを携帯電話やＰＤＡ（Personal Digital Assistant）等の携帯端末をクライアントとして用いることにより遊園地等のナビゲーションシステムに適用すること間可能である。すなわち、下記のようなサービスに適用することができる。
（１）  アトラクションの紹介サービス
（２）  アトラクションの状況提供サービス
（３）  イベントの通知サービス
【００９２】
（１）  アトラクションの紹介サービス
遊園地を訪れる前に、ユーザはクライアント（自宅のパーソナルコンピュータ等）を用いて提供されるアトラクション内容を確認したりして、実際に利用したいアトラクションの情報をサービス提供手段に予め登録しておく。そして、ユーザは、遊園地内では自宅のパーソナルコンピュータ等のクライアントと同じユーザＩＤを有するＰＤＡ等の携帯端末を用いてサービス提供手段から予め登録されているアトラクションの一覧を参照することが可能になる。
【００９３】
（２）  アトラクションの状況提供サービス
アトラクションの各地点に配置ざれているＷｅｂカメラ等の画像撮影手段の提供する画像提供サービスを利用して、現在のアトラクションの運転状況や混雑状況等を画像を通じて確認することが可能になる。また、勿論、モノクロ表示の携帯端末の場合にはスペックに対応した画像データの変換処理後の画像データが受信できる。
【００９４】
（３）  イベントの通知サービス
ユーザが、サービス提供手段に対してスケジュールとしてイベントを予約しておくことにより、指定の時刻が来た時点で、ユーザの携帯端末に遊園地内で行われるイベント情報が配信されるので、イベントを見逃すことが防止できる。
【図面の簡単な説明】
【００９５】
【図１】本発明に係る監視区域内の画像や各種データを収集して集中管理することにより監視区域内の監視を行う広域監視システムの一実施例を示す構成ブロック図である。
【図２】サービス提供手段の具体例を示す構成ブロック図である。
【図３】クライアントの動作を説明するフロー図である。
【図４】サービス提供手段の動作を説明するフロー図である。
【図５】クライアントの動作を説明するフロー図である。
【図６】サービス提供手段の動作を説明するフロー図である。
【図７】データ収集手段の動作を説明するフロー図である。
【図８】クライアントの動作を説明するフロー図である。
【図９】サービス提供手段の動作を説明するフロー図である。
【図１０】データ収集手段の動作を説明するフロー図である。
【図１１】クライアントの動作を説明するフロー図である。
【図１２】サービス提供手段の動作を説明するフロー図である。
【図１３】データ収集手段の動作を説明するフロー図である。
【図１４】加工処理手段の動作を説明するフロー図である。
【図１５】従来の監視区域内の画像や各種データを収集して集中管理することにより監視区域内の監視を行う広域監視システムの一例を示す構成ブロック図である。
【符号の説明】
【００９６】
１，２，９，１０  クライアント
３，４  Ｗｅｂカメラ
５，６，７，８  データ収集装置
１１，１２  サービス提供手段
１３，１４，１５，１６，１７，１８  データ収集手段
１９  統計処理手段
２０  画像撮影手段
２１  加工処理手段
２２  通信手段
２３  演算制御手段
２４  記憶手段
１００  ネットワーク
【図１】
2005322980.tif 000003
【図２】
2005322980.tif 000004
【図３】
2005322980.tif 000005
【図４】
2005322980.tif 000006
【図５】
2005322980.tif 000007
【図６】
2005322980.tif 000008
【図７】
2005322980.tif 000009
【図８】
2005322980.tif 000010
【図９】
2005322980.tif 000011
【図１０】
2005322980.tif 000012
【図１１】
2005322980.tif 000013
【図１２】
2005322980.tif 000014
【図１３】
2005322980.tif 000015
【図１４】
2005322980.tif 000016
【図１５】
2005322980.tif 000017